(57)【要約】【目的】  インターネットのお気に入りリストに登録されている施設をナビゲーションの描画地図上に識別可能に表示する「車載機及びアイコン表示方法」を提供することである。  【構成】  アイコン付のホームページアドレスを通信ユニット５２のお気に入りリストLLTに登録する際、該ホームページアドレスにホームページに関する施設の位置情報を付加し、該施設の位置情報とアイコン画像をナビゲーションユニット５１の記憶部５１kに保存し、ナビゲーションユニット５１はスクリーンに描画された地図領域に該保存した施設が存在すれば、該施設に対応するアイコン画像を地図上の該施設位置に表示する。アイコンが指示されたとき、該アイコンに応じたホームページを受信して表示し、あるいはアイコンに応じた施設位置を目的地として設定する。【選択図】        図２
2007003972.tif 000002
【特許請求の範囲】
【請求項１】
ホームページアドレスに付加されたアイコンの表示方法において、
アイコン付のホームページアドレスをお気に入りリストに登録する際、ホームページに関連する施設の位置情報を付加し、
該施設の位置情報とアイコン画像をナビゲーションユニットの記憶部に保存し、
スクリーンに描画された地図領域に前記保存した施設が存在する場合、該施設に対応する前記アイコン画像を地図上の該施設位置に表示する、
ことを特徴とするアイコン表示方法。
【請求項２】
地図上に描画された前記アイコンが指示されたとき、該アイコンに応じたホームページを表示する、
ことを特徴とする請求項１記載のアイコン表示方法。
【請求項３】
地図上に描画された前記アイコンが指示されたとき、メニュー項目を表示し、
目的地メニュー項目が選択されたとき、該アイコン表示位置を目的地として設定し、
ホームページ表示メニュー項目が選択されたとき、該アイコンに応じたホームページを表示する、
ことを特徴とする請求項１記載のアイコン表示方法。
【請求項４】
ホームページアドレスに付加されたアイコンをスクリーンに表示する車載機において、
アイコン付のホームページアドレスをお気に入りリストに登録し、該お気に入りリスト表示に際して前記アイコンを付加して表示するインターネット通信装置、
前記インターネット通信装置がアイコン付きホームページアドレスと共に受信したホームページに関連する施設の位置情報を該アイコン画像と共に保存し、スクリーンに描画された地図領域に前記保存した施設が存在する場合、該施設のアイコン画像を地図上の該施設位置に表示するナビゲーション装置、
を備えたことを特徴とする車載機。
【請求項５】
前記インターネット通信装置は、
アイコン付のホームページアドレスと共にホームページに関連する施設の位置情報をインターネットより受信する受信部、
アイコン付のホームページアドレスをお気に入りリストに登録し、該お気に入りリスト表示に際して前記アイコンを表示するお気に入り処理部、
前記アイコン画像を発生するアイコン画像発生部、
ホームページに関連する施設の位置情報を該アイコン画像と組にしてナビゲーション装置に送信する送信部、
を備え、前記ナビゲーションユニットは、
ホームページに関連する施設の位置情報とアイコン画像を組にして保存する保存部、
スクリーンに地図を描画すると共に、該描画された地図領域に前記保存した施設が存在する場合、該施設のアイコン画像を地図上の該施設位置に表示する地図描画部、
を備えたことを特徴とする請求項４記載の車載機。
【請求項６】
前記ナビゲーション装置は、
スクリーン上の前記アイコンが指示されたとき、メニュー項目を表示する手段、
目的地メニュー項目が選択されたとき、該アイコン表示位置を目的地として設定し、経路探索を行う手段、
ホームページ表示メニュー項目が選択されたとき、選択された施設情報を前記インターネット通信装置に通知する手段、
を備え、前記インターネット通信装置は、ナビゲーション装置から通知された施設のホームページを表示する手段、
を備えたことを特徴とする請求項５記載の車載機。
【発明の詳細な説明】
【技術分野】
【０００１】
本発明は、車載機及びアイコン表示方法に係わり、特にホームページアドレスに付加されたアイコンをスクリーンに表示する車載機およびアイコン表示方法に関する。
【背景技術】
【０００２】
車載機はインテリジェント機能を備え、ハンズフリー機能（自動車電話機能）や車載ナビゲーション機能、オーディオ機能等を備えている。ハンズフリー機能によれば、車載機の操作キーを操作して車内より発呼すれば、携帯電話機、無線基地局、公衆電話網を介して相手先電話機に接続して相手とハンズフリーで通話でき、また、外部の電話機からの着信に応答して相手とハンズフリーで電話できる。また、車載機はインタネットブラウザを用いてブラウジングやインターネット経由でメール送受信する機能を備えている。図９は車載機のインターネット通信機能の説明図であり、自動車１に車載機２が搭載されている。この車載機２に携帯電話機（MS）３を接続すれば、車載機２は、携帯電話機３、基地局（BS）４、一般通信網５を介してアクセスポイントであるインターネットサービスプロバイダ（ＩＳＰ）６にダイヤルアップ接続し、しかる後、インターネット７にアクセス可能になる。なお、車載機と携帯電話機間はBluetoothにより無線リンクで接続し、無線で通信するようになっている。
インターネット通信機能によれば、車載機２はWebサイト８にアクセスして該Webサイトより所望の情報を閲覧、取得してスクリーンに表示することができる。この場合、お気に入りのホームページの名称およびアドレスをブックマークリスト(お気に入りリスト)に登録しておけば、お気に入りリストの中から所望のホームページアドレスを選択してホームページを表示することができる。また、ホームページアドレスにアイコンファイルを付加しておくことにより、お気に入りリストの表示に際して図１０に示すように、ホームページ名HPNの前にアイコンICNを表示することができ、お気に入りリストに多数のホームページアドレスが登録されている場合であっても容易に所望のホームページを識別することができる。アイコンファイルは３２×３２及び１６×１６の２種類のアイコンをビットマップ画像で発生するファイルであり、何れのサイズのアイコンを使用するかはスクリーンの大きさその他の指定により決まる。以下では、アイコンのサイズは意識せず、サイズは一種類であるとして説明する。
また、インターネット通信機能によれば、車載機２はメールサーバ９にメール配信を要請することにより、メールボックス１０に保存されている他ユーザから送信された自己宛のメール(送信者、件名、受信日時、未読の別など)を受信メールリストに表示し、所定のメールをダウンロードにより取得してディスプレイ装置に表示することができる。
従来技術としてインターネットのホームページ情報を用いて目的地検索する方法が提案されている(特許文献１参照)。この従来技術では、予め携帯電話機によりホームページを閲覧して人気のある店を検索、記憶しておき、携帯電話機が車載機に接続したとき、携帯電話機に記憶してある前記店のホームページ情報をインターネットより受信し、該ホームページに関連する施設の情報を携帯電話機に表示すると共に、該施設の電話番号を自動抽出し、該電話番号を用いて施設周辺の地図を車載機のスクリーンに表示し、該施設を目的地として設定し、あるいは登録地点として設定する。
【特許文献１】特開２００３−３１５０７８号公報
【発明の開示】
【発明が解決しようとする課題】
【０００３】
上記従来技術は、インターネットより受信した情報を目的地設定、地点登録に利用するものであるが、現在表示されている地図上に前記人気のある店が存在しても該店を識別可能に表示するものではない。
また、上記従来技術は、地図上に表示されている施設のホームページを見たい場合であっても簡単な操作で該ホームページを表示することができない。
また、上記従来技術は、インターネットのお気に入りリストに登録されている施設であって、現在表示されている地図上に存在する施設を、識別可能に表示するものではなく、しかも、該施設を目的地として設定し、あるいは、該施設のホームページを選択的に表示するものでもない。
以上から本発明の目的は、インターネットのお気に入りリストに登録されている施設をナビゲーションの描画地図上に識別可能に表示することである。
本発明の別の目的は、ナビゲーションの描画地図上に表示されている施設のホームページを簡単に閲覧できるようにすることである。
本発明の別の目的は、インターネットのお気に入りリストに登録されている施設をナビゲーションにおける目的地として設定できるようにすることである。
【課題を解決するための手段】
【０００４】
上記課題は本発明によれば、ホームページアドレスに付加されたアイコンをスクリーンに表示する車載機およびそのアイコンの表示方法により達成される。
本発明のアイコン表示方法は、アイコン付のホームページアドレスをお気に入りリストに登録する際、ホームページに関連する施設の位置情報を付加するステップ、該施設の位置情報とアイコン画像をナビゲーションユニットの記憶部に保存するステップ、スクリーンに描画された地図領域に前記保存した施設が存在する場合、該施設に対応する前記アイコン画像を地図上の該施設位置に表示するステップを備えている。上記アイコン表示方法は、更に、前記アイコンが指示されたとき、メニュー項目を表示するステップ、目的地メニュー項目が選択されたとき、該アイコン表示位置を目的地として設定するステップ、ホームページ表示メニュー項目が選択されたとき、該アイコンに応じたホームページを表示するステップを有している。
本発明の車載機は、アイコン付のホームページアドレスをお気に入りリストに登録し、該お気に入りリスト表示に際して前記アイコンを表示するインターネット通信装置、前記インターネット通信装置がアイコン付きホームページアドレスと共に受信したホームページに関連する施設の位置情報を該アイコン画像と共に保存し、スクリーンに描画された地図領域に前記保存した施設が存在する場合、該施設のアイコン画像を地図上の該施設位置に表示するナビゲーション装置を備えている。
上記車載機において、前記インターネット通信装置は、アイコン付のホームページアドレスと共にホームページに関連する施設の位置情報をインターネットより受信する受信部、アイコン付のホームページアドレスをお気に入りリストに登録し、該お気に入りリスト表示に際して前記アイコンを表示するお気に入り処理部、前記アイコン画像を発生するアイコン画像発生部、ホームページに関連する施設の位置情報を該アイコン画像と組にしてナビゲーション装置に送信する送信部を備え、前記ナビゲーションユニットは、ホームページに関連する施設の位置情報とアイコン画像を組にして保存する保存部、スクリーンに地図を描画すると共に、該描画された地図領域に前記保存した施設が存在する場合、該施設のアイコン画像を地図上の該施設位置に表示する地図描画部を備えている。
ナビゲーション装置は、更に、スクリーン上の前記アイコンが指示されたとき、メニュー項目を表示する手段、目的地メニュー項目が選択されたとき、該アイコン表示位置を目的地として設定し、経路探索を行う手段、ホームページ表示メニュー項目が選択されたとき、選択された施設情報を前記インターネット通信装置に通知する手段を備え、前記インターネット通信装置は、ナビゲーション装置から通知された施設のホームページを表示する手段を備えている。
【発明の効果】
【０００５】
本発明によれば、アイコン付のホームページアドレスをお気に入りリストに登録する際、該ホームページアドレスにホームページに関連する施設の位置情報を付加し、該施設の位置情報とアイコン画像をナビゲーションユニットの記憶部に保存し、スクリーンに描画された地図領域に前記保存した施設が存在する場合、該施設に対応する前記アイコン画像を地図上の該施設位置に表示するようにしたから、インターネットのお気に入りリストに登録されている施設をナビゲーションの描画地図上に識別可能に表示することができる。
また、本発明によれば、地図上に描画されたアイコンが指示されたとき、該アイコンに応じたホームページを表示するようにしたから、ナビゲーションの描画地図上に表示されている施設のホームページを簡単な操作で見ることができる。
また、本発明によれば、アイコンが指示されたとき、メニュー項目を表示し、目的地メニュー項目が選択されたとき、該アイコン表示位置を目的地として設定し、ホームページ表示メニュー項目が選択されたとき、該アイコンに応じたホームページを表示するようにしたから、適宜インターネットのお気に入りリストに登録されている施設のホームページを表示し、あるいは、該施設をナビゲーションにおける目的地として設定することができる。
【発明を実施するための最良の形態】
【０００６】
本発明はホームページアドレスに付加されたアイコンをスクリーンに表示する車載機であり、アイコン付のホームページアドレスをお気に入りリストに登録し、該お気に入りリスト表示に際して前記アイコンを表示するインターネット通信装置、前記インターネット通信装置がアイコン付きホームページアドレスと共に受信したホームページに関連する施設の位置情報を該アイコン画像と共に保存し、スクリーンに描画された地図領域に前記保存した施設が存在する場合、該施設のアイコン画像を地図上の該施設位置に表示するナビゲーション装置を備えている。
インターネット通信装置は、アイコン付のホームページアドレスと共にホームページに関連する施設の位置情報をインターネットより受信する受信部、アイコン付のホームページアドレスをお気に入りリストに登録し、該お気に入りリスト表示に際して前記アイコンを表示するお気に入り処理部、前記アイコン画像を発生するアイコン画像発生部、ホームページに関連する施設の位置情報を該アイコン画像と組にしてナビゲーション装置に送信する送信部を備え、前記ナビゲーションユニットは、ホームページに関連する施設の位置情報とアイコン画像を組にして保存する保存部、スクリーンに地図を描画すると共に、該描画された地図領域に前記保存した施設が存在する場合、該施設のアイコン画像を地図上の該施設位置に表示する地図描画部を備えている。
前記ナビゲーション装置は、更に、スクリーン上の前記アイコンが指示されたとき、メニュー項目を表示する手段、目的地メニュー項目が選択されたとき、該アイコン表示位置を目的地として設定し、経路探索を行う手段、ホームページ表示メニュー項目が選択されたとき、選択された施設情報を前記インターネット通信装置に通知する手段を備え、前記インターネット通信装置は、ナビゲーション装置から通知された施設のホームページを表示する手段を備えている。
【実施例】
【０００７】
図１は本発明の車載機の構成図である。車載機は、車載ナビゲーション制御を実行するナビゲーションユニット５１、ハンズフリー電話制御やインターネット通信制御を行なう通信ユニット５２、図示しないオーディオユニット等を備え、これらにユーザインターフェース５３を介して操作キー部５４や表示装置５５が接続されている。表示装置５５はタッチパネルTPNLの構成を備えており、スクリーンSCRNに地図や各種メニューを表示し、タッチしてデータやコマンドを入力するようになっている。又、スクリーンの側部及び下部にハードキーHDKYが設けられている。
ナビゲーションユニット５１と通信ユニット５２は各種コマンドや各種情報を相互に授受するように接続されており、また、通信ユニット５２には外部の携帯電話機６１やインターネット等と接続するための携帯電話通信部５６が接続されている。通信ユニット５２は、ハンズフリー電話処理(発呼/着信制御処理）やインターネットのクライアントとしての処理、ナビゲーションユニットとの間の通信処理を実行する。
携帯電話通信部５６は、送受信部を備え、携帯電話機６１や図示しない移動電話網、一般公衆網等を介して相手電話機と音声で電話し、あるいはインターネットを介して各種サーバと接続してインターネット通信、メール送受信ができるようになっている。
【０００８】
図２はナビゲーションユニット５１と通信ユニット５２の構成図である。ナビゲーションユニット５１は、コンピュータ構成になっており、車載ナビゲーションの各種制御、例えば、現在位置周辺の地図読み込み制御、地図描画制御、経路探索/経路誘導制御、ホームページアイコン記憶/利用制御等を実行するプロセッサ（ＣＰＵ）５１ａ、地図データを記憶する地図記録媒体５１ｂ、該地図記録媒体よりプロセッサが指示した地域の地図データを読み出す地図読み出し部５１ｃ、該読み出された地図データを保存する地図メモリ５１ｄ、プロセッサが車載ナビゲーションの各種処理を実行するためのプログラムを保存するプログラムメモリ５１ｅ、探索経路などの処理結果を保存するワークメモリ５１ｆ、車両の現在位置を検出するＧＰＳ等の車両位置検出部５１ｇ、地図、メニュー等の画像を発生してユーザインターフェース５３を介して表示装置５５に送信する画像発生部５１ｈ、通信ユニット５２と通信するためのインターフェース(通信ユニットＩＮＦ)５１ｉ、操作キー部５４やタッチパネルTPNLから入力された操作コマンドを受信してプロセッサ５１aに入力する操作コマンド受信部５１j、インターネットよりアイコン付のホームページアドレスと共に受信したホームページに関連する施設の位置情報をアイコン画像と共に保存するお気に入りアイコンデータベース５１kを有している。
【０００９】
通信ユニット５２はインターネットのクライアントとしての制御を行なうプロセッサ（ＣＰＵ）５２ａ、プロセッサが上記制御を行なうための各種プログラム(Webブラウザ、オペレーションシステムOS)を保存するプログラムメモリ５２ｂ、設定データや処理結果,お気に入りリストLLT等を保存するデータメモリ５２ｃ、操作用の各種メニュー画像、ホームページ、アイコン画像等を発生する画像発生部５２ｄ、携帯電話通信部５６との間のデータ通信を司る通信インターフェース５２ｅ、ナビゲーションユニット５１と通信するためのインターフェース(ＮＡＶＩインターフェース)５２ｆ、操作キー部５４やタッチパネルTPNLから入力された操作コマンドを受信してプロセッサ５２aに入力する操作コマンド受信部５２gを有している。
通信ユニット５２のプロセッサ５２aはアイコン付ホームページアドレスをお気に入りリストLLTに登録する際、インターネットより、ホームページ名、ホームページアドレス、アイコンファイルと共に、ホームページに関連する施設名および施設位置情報を受信する。すなわち、プロセッサ５２aはアイコン付ホームページアドレスのお気に入り登録操作により、これら情報をインターネットより受信すれば、お気に入りリストLLTに登録すると共に、アイコンファイルを用いてアイコン画像を発生し、ホームページ名、施設名、施設位置及び該アイコン画像をNAVIインターフェース５２ｆよりナビゲーションユニット５１に送信する。ナビゲーションユニット５１は受信したこれらホームページ名、施設名、施設位置及びアイコン画像をお気に入りアイコンデータベース５１kに格納する。また、通信ユニット５２のプロセッサ５２aはお気に入りリスト表示に際して、画像発生部５２dをしてアイコンファイルによりアイコン画像を発生させ、図１０に示すようにホームページ名HPNの前に該アイコンを付加してお気に入りリストを表示する。
【００１０】
図３はお気に入りリストLLTの例であり、ホームページ名２０、ホームページアドレス（URL）２１、アイコン画像を発生するアイコンファイル名２２、ホームページに関連する施設名２３、施設の位置情報(たとえば経緯度)２４で構成されている。
図４はナビゲーションユニット５１におけるお気に入りアイコンデータベース５１kの構成例であり、ホームページ名３０、施設名３１、施設位置３２、アイコン画像データの記憶位置を示すアイコンポインタ３３で構成されている。
【００１１】
図５はお気に入りアイコンデータ格納処理フローである。
ホームページのお気に入り登録操作により、通信ユニット５２のプロセッサ５２aはインターネットより送信されてくるホームページアドレスをお気に入りリストLLTに保存する(図３参照、ステップ１０１)。ついで、プロセッサ５２aは受信したホームページアドレスにアイコンが付加されているか判断し(ステップ１０２)、付加されていなければ処理を終了する。
一方、ホームページアドレスにアイコンが付加されていれば、画像発生部５２dはアイコンファイルを用いてアイコン画像を発生する(ステップ１０３)。ついで、プロセッサ５２aはNAVIインターフェース５２fを制御してホームページ名、施設名、施設位置及びアイコン画像をナビゲーションユニット５１に送信する(ステップ１０４)。ナビゲーションユニット５１は受信したこれらホームページ名、施設名、施設位置及びアイコン画像をお気に入りアイコンデータベース５１kに格納する(図４参照、ステップ１０５)。
【００１２】
図６はナビゲーションユニット５１のアイコン表示処理フローである。
ナビゲーションユニット５１のプロセッサ５１aは車両の走行に応じて表示装置５５のスクリーンに車両周辺の地図を表示すると共に(ステップ２０１)、ホームページアイコンの施設位置が該描画地図の領域内に存在するかチェックする(ステップ２０２)。存在すれば、図７(a)に示すように地図MP上の施設位置にホームページアイコンICNを表示する(ステップ２０３)。
しかる後、ホームページアイコンICNをカーソルで指示すれば(ステップ２０４)、選択したアイコンに応じたホームページ名を通信ユニット５２に通知する。これにより、通信ユニット５２はインターネットよりホームページHPを受信して図７(b)に示すように地図MP上にオーバーラップして表示する(ステップ２０５)。
以後、Webページの閲覧が完了するまでホームページを表示し(ステップ２０６，２０５)、閲覧完了によりホームページを消して車両周辺の地図を表示する(ステップ２０７)
以上では、アイコンを指示したとき直ちにホームページを表示したが、図８(b)に示すように、「目的地設定」、「経由地設定」、「Webページ参照」のメニューMN表示し、所定のメニュー項目に応じた制御を行うように構成することができる。すなわち、「Webページ参照」のメニュー項目を選択したときには、図６の処理と同様に図８(c)に示すようにホームページを表示する。また、「目的地設定」のメニュー項目を選択すればアイコンの施設位置を目的地と設定し、処理部５１aは現在位置から目的地までの経路を探索する。また、「経由地設定」のメニュー項目を選択すればアイコンの施設位置を経由地と設定する。
以上では車両走行に応じてスクロール表示された地図上の施設位置にアイコンを表示した場合について説明したが、マニュアルによりスクロール表示された地図上の施設位置にアイコンを表示し、図７、図８で説明したと同様の目的地設定およびホームページ表示ができることは当然である。
以上、本発明によれば、アイコンが指示されたとき、該アイコンに応じたホームページを表示するようにしたから、ナビゲーションの描画地図上に表示されている施設のホームページを簡単な操作で見ることができる。
また、本発明によれば、アイコンが指示されたとき、メニュー項目を表示し、目的地メニュー項目が選択されたとき、該アイコン表示位置を目的地として設定し、ホームページ表示メニュー項目が選択されたとき、該アイコンに応じたホームページを表示するようにしたから、適宜インターネットのお気に入りリストに登録されている施設のホームページを表示し、あるいは、該施設をナビゲーションにおける目的地として設定することができる。
【図面の簡単な説明】
【００１３】
【図１】本発明の車載機の構成図である。
【図２】ナビゲーションユニットと通信ユニットの構成図である。
【図３】お気に入りリストLLTの例である。
【図４】ナビゲーションユニットにおけるお気に入りアイコンデータベースの格納例である。
【図５】お気に入りアイコンデータ格納処理フローである。
【図６】ナビゲーション制御ユニットのアイコン表示処理フローである。
【図７】アイコン、ホームページの第１の表示例である。
【図８】アイコン、ホームページの第２の表示例である。
【図９】車載機のインターネット通信機能の説明図である。
【図１０】アイコン付のホームページ名表示例である。
【符号の説明】
【００１４】
５１  ナビゲーションユニット
５１a  プロセッサ（ＣＰＵ）
５１k  お気に入りアイコンデータベース
５２  通信ユニット
５２ａ  プロセッサ（ＣＰＵ）
５５  表示装置
５６  携帯電話通信部
LLT  お気に入りリスト
【図１】
2007003972.tif 000003
【図２】
2007003972.tif 000004
【図３】
2007003972.tif 000005
【図４】
2007003972.tif 000006
【図５】
2007003972.tif 000007
【図６】
2007003972.tif 000008
【図７】
2007003972.tif 000009
【図８】
2007003972.tif 000010
【図９】
2007003972.tif 000011
【図１０】
2007003972.tif 000012